(57)【特許請求の範囲】
【請求項１】
複数の画素が形成された一対の基板間に液晶を封入し、前記画素に印加される電圧に応じて液晶の配向状態を変化させて該画素の表示状態を制御する液晶表示装置において、第１映像から第２映像に表示が変わる際に、各画素を走査して第１映像を表示する第１フレームと、各画素を走査して第２映像を表示する第２フレームと、前記第１フレームと第２フレームの間に設けられた中間フレームとを有し、前記中間フレームでは、第１映像から第２映像になるときに白表示から黒表示に変わる画素に対して黒表示になる電圧を印加し、それ以外の画素に対しては第１映像と同等の電圧を印加することを特徴とする液晶表示装置。
【請求項２】
複数の画素が形成された一対の基板間に液晶を封入し、前記画素に印加される電圧に応じて液晶の配向状態を変化させて該画素の表示状態を制御する液晶表示装置において、第１映像から第２映像に表示が変わる際に、各画素を走査して第１映像を表示する第１フレームと、各画素を走査して第２映像を表示する第２フレームと、前記第１フレームと第２フレームの間に設けられた中間フレームとを有し、前記中間フレームでは、第１映像から第２映像になるときに輝度が低下する画素に対しては第１映像よりも低い輝度の表示になる電圧を印加し、第１映像から第２映像になるときに輝度が低下しない画素に対しては第１映像と同等の電圧を印加することを特徴とする液晶表示装置。
【請求項３】
一方の基板上には、各画素に対応した画素電極と、前記画素電極と接続する薄膜トランジスタと、前記薄膜トランジスタのソース電極に接続するソース線と、前記薄膜トランジスタのゲート電極に接続するゲート線が形成され、他方の基板上には前記画素電極に対向する対向電極が形成された液晶表示装置であって、前記ゲート線へゲート信号を供給して前記薄膜トランジスタを走査する際にソース線に供給されたソース信号に応じた電圧が該画素の画素電極と対向電極の間に印加されて前記液晶の配列状態を制御することを特徴とする請求項１乃至請求項２のいずれかに記載の液晶表示装置。
【請求項４】
各画素の表示モードがノーマリホワイトであることを特徴とする請求項１乃至請求項３のいずれかに記載の液晶表示装置。
【請求項５】
各画素の表示モードがノーマリブラックであることを特徴とする請求項１乃至請求項３のいずれかに記載の液晶表示装置。
【請求項６】
前記中間フレームの表示時間が１／１２０ｓ以下であることを特徴とする請求項１乃至請求項５のいずれかに記載の液晶表示装置。
【請求項７】
前記第１フレームの走査中に前記中間フレームの走査を開始することを特徴とする請求項１乃至請求項６のいずれかに記載の液晶表示装置。
【請求項８】
前記中間フレームにおいて、第１映像から第２映像になるときに輝度が低下する画素に対して第２映像の輝度と同等の表示になる電圧を印加することを特徴とする請求項２乃至請求項７のいずれかに記載の液晶表示装置。
【請求項９】
前記中間フレームにおいて、第１映像から第２映像になるときに輝度が低下する画素に対して第２映像より低い輝度の表示になる電圧を印加することを特徴とする請求項２乃至請求項７のいずれかに記載の液晶表示装置。
【請求項１０】
映像データ信号を出力する制御回路と、前記映像データ信号に基づくソース信号を各ソース線に供給するソース駆動回路を備え、前記制御回路では第１映像と第２映像に基づいて中間フレーム時に表示する映像の映像データ信号を作成すると共にその映像データ信号を第１フレームの映像データ信号と第２フレームの映像データ信号の間に挿入して前記ソース駆動回路に供給することを特徴とする請求項３乃至請求項９のいずれかに記載の液晶表示装置。
【請求項１１】
前記他方の基板には前記画素に対応してカラーフィルタが設けられていることを特徴とする請求項１乃至請求項１０のいずれかに記載の液晶表示装置。
【請求項１２】
複数の画素を順次走査しながら各画素の表示状態を制御して映像を表示する液晶表示装置の表示方法において、第１映像から第２映像に表示を変える際に第１映像と第２映像に基づいた中間映像を介在させ、前記中間映像では、第１映像から第２映像になるときに白表示から黒表示に変わる画素を黒表示にし、それ以外の画素を第１映像と同じ表示にすることを特徴とする液晶表示装置の表示方法。
【請求項１３】
複数の画素を順次走査しながら各画素の表示状態を制御して映像を表示する液晶表示装置の表示方法において、第１映像から第２映像に表示を変える際に第１映像と第２映像に基づいた中間映像を介在させ、前記中間映像では、第１映像から第２映像になるときに輝度が低下する画素に対しては第１映像よりも低い輝度の表示を行い、第１映像から第２映像になるときに輝度が低下しない画素に対しては第１映像と同等の輝度の表示を行うことを特徴とする液晶表示装置の表示方法。
【請求項１４】
前記各画素の表示モードがノーマリホワイトであることを特徴とする請求項１２乃至請求項１３のいずれかに記載の液晶表示装置の表示方法。
【請求項１５】
前記各画素の表示モードがノーマリブラックであることを特徴とする請求項１２乃至請求項１３のいずれかに記載の液晶表示装置の表示方法。
【請求項１６】
前記中間映像において、第１映像から第２映像になるときに輝度が低下する画素に対して第２映像の輝度と同等の表示を行うことを特徴とする請求項１３乃至請求項１５のいずれかに記載の液晶表示装置。
【請求項１７】
前記中間映像において、第１映像から第２映像になるときに輝度が低下する画素に対して第２映像より低い輝度の表示を行うことを特徴とする請求項１３乃至請求項１５のいずれかに記載の液晶表示装置。
【発明の詳細な説明】
【０００１】
【発明の属する技術分野】
本発明は動画の残像を低減させて高品位な表示が得られる液晶表示装置に関する。
【０００２】
【従来の技術】
一般に液晶表示装置は薄型軽量という特徴があり、携帯端末から大型テレビに至るまで幅広い用途で利用されている。これらの液晶表示装置としてＴＦＴ型が普及している。これは各画素にＴＦＴ（薄膜トランジスタ）を配置したものであり、例えば一方のガラス基板上に複数の走査線と信号線をマトリクス状に形成し、この信号線と走査線の交差部にＴＦＴを設けている。このＴＦＴのゲート電極は走査線に、ソース線は信号線に、ドレイン電極は画素電極にそれぞれ接続されている。他方のガラス基板には画素に対応してカラーフィルタなどが形成され、その上に対向電極が積層されている。この一対のガラス基板間に液晶を封入し、画素電極への印加電圧を制御して液晶の配列状態を変化させることで様々な表示を行っている。
【０００３】
液晶表示装置の表示モードには、電圧無印加時に黒表示で電圧印加時に白表示になるノーマリブラックと、電界無印加時に白表示で電圧印加時に黒表示になるノーマリホワイトがある。ここで従来のノーマリホワイトの液晶表示装置によって、図２（ａ）に示す第１映像から第２映像に表示を変える場合を図６に基づいて説明する。表示部は画素が６行８列に並んでおり、上の行から順に走査して各画素の表示状態を変化させている。なおこの表示部では、最上行を第１行、最下行を第６行、最左列を第１列、最右列を第８列とする。
【０００４】
第１映像を表示させる場合、まず第１行を走査し、第４列の画素のみをオンにして黒表示にする。この第４列の画素では画素電極に供給された電圧を保持するため、次回の第１行の走査時まで黒表示を維持する。次に第２行の走査時は第３列から第５列を、第３行の走査時は第２列から第６列を、第４行の走査時は第２列から第６列を、第５行の走査時は第３列から第５列を、第６行の走査時は第４列をそれぞれオンにして黒表示にする。この液晶表示装置を６０Ｈｚで駆動するとき、第１行から第６行までの走査する時間は１／６０ｓかかり、これで１フレーム分の走査が完了して第１映像が表示される。
【０００５】
次に第２映像を表示させるときは、再び第１行を走査する。第２映像は第４列が白表示であるため第４列をオフにし、第５列をオンにして黒表示にする。同様に第２行以降も順次走査を行い、該当する画素を黒表示にする。つまり第２行の走査時は第４列から第６列を、第３行の走査時は第３列から第７列を、第４行の走査時は第３列から第７列を、第５行の走査時は第４列から第６列を、第６行の走査時は第５列をそれぞれオンにして黒表示にする。こうして第１映像の映像が1列分だけ右にずれた第２映像が得られる。
【０００６】
【発明が解決しようとする課題】
しかしながら、上記の液晶表示装置は次の走査が行われるまで前回の表示状態を維持する所謂ホールド型であるため、動画などを表示させるときには残像が目立ってしまう。特に人間の目の場合、黒表示から白表示になるときはその変化を認識しやすいが、白表示から黒表示になるときは白表示の印象が残りやすいため表示状態の変化が認識し難い。そのため動画などでは特に白表示から黒表示に変化する部分の残像が生じやすく、高品位な表示が得られなかった。
【０００７】
そこで残像現象を低減させる方法が、例えば特開２０００−５６７３８号公報、特開平１０−２６８８４９号公報、特開平９−３２５７１５号公報、特開平２０００−２０６４９２号公報などに開示されている。この方法は、例えばある映像を表示させた後にリセット期間を設け、このリセット期間内に画素電極で保持している電圧を除去してから第２映像の走査を開始したり、又は、残像が発生しやすい第１映像から第２映像への変化時に一時的に表示状態が見えないようにしている。
【０００８】
しかし全画素をオフにしてから次の映像を表示させたり、映像の書き込み期間を一時的に非表示にする場合、映像の変化時に表示させる映像とはまったく異なる表示状態が入り込むことになり、十分にスムーズな動画が得られなかった。また、これらの従来例には白表示から黒表示への変化時の残像に注目したものはなかった。
【０００９】
そこで本発明は、特に表示が白表示から黒表示になるときの残像を低減させて高品位な動画表示が得られる液晶表示装置を提供することを目的とする。
【００１０】
【課題を解決するための手段】
上記課題を解決するために本発明は、複数の画素が形成された一対の基板間に液晶を封入し、前記画素に印加される電圧に応じて液晶の配向状態を変化させて該画素の表示状態を制御する液晶表示装置において、第１映像から第２映像に表示が変わる際に、各画素を走査して第１映像を表示する第１フレームと、各画素を走査して第２映像を表示する第２フレームと、第１フレームと第２フレームの間に設けられた中間フレームとを有し、中間フレームでは、第１映像から第２映像になるときに白表示から黒表示に変わる画素に対して黒表示になる電圧を印加し、それ以外の画素に対しては第１映像と同等の電圧を印加することを特徴とする。
【００１１】
また、複数の画素が形成された一対の基板間に液晶を封入し、前記画素に印加される電圧に応じて液晶の配向状態を変化させて該画素の表示状態を制御する液晶表示装置において、第１映像から第２映像に表示が変わる際に、各画素を走査して第１映像を表示する第１フレームと、各画素を走査して第２映像を表示する第２フレームと、第１フレームと第２フレームの間に設けられた中間フレームとを有し、中間フレームでは、第１映像から第２映像になるときに輝度が低下する画素に対しては第１映像よりも低い輝度の表示になる電圧を印加し、第１映像から第２映像になるときに輝度が低下しない画素に対しては第１映像と同等の電圧を印加することを特徴とする。
【００１２】
また、複数の画素を順次走査しながら各画素の表示状態を制御して映像を表示する液晶表示装置の表示方法において、第１映像から第２映像に表示を変える際に第１映像と第２映像に基づいた中間映像を介在させ、中間映像では、第１映像から第２映像になるときに白表示から黒表示に変わる画素を黒表示にし、それ以外の画素を第１映像と同じ表示にすることを特徴とする。
【００１３】
また、複数の画素を順次走査しながら各画素の表示状態を制御して映像を表示する液晶表示装置の表示方法において、第１映像から第２映像に表示を変える際に第１映像と第２映像に基づいた中間映像を介在させ、中間映像では、第１映像から第２映像になるときに輝度が低下する画素に対しては第１映像よりも低い輝度の表示を行い、第１映像から第２映像になるときに輝度が低下しない画素に対しては第１映像と同等の輝度の表示を行うことを特徴とする。
【００１４】
このように第１映像から第２映像に表示を変える際に、中間段階の表示状態を設け、第１映像から第２映像にかけて輝度が低下する画素に対しては第２映像を表示する前に輝度を下げるため、残像を低減することができる。さらに第１映像から第２映像にかけて輝度が低下しない画素に対しては中間段階でも第１映像の表示と同等の表示を維持するので、スムーズな動画を得ることができる。
【００１５】
【発明の実施の形態】
以下、本発明の実施形態を図に基づいて説明する。図１は液晶表示装置の概略構成図である。液晶パネルの表示部１には複数のゲート線２と複数のソース線３がマトリクス状に形成され、ゲート線２とソース線３の交差部にはＴＦＴ４（薄膜トランジスタ）が、画素毎に画素電極５がそれぞれ設けられている。ＴＦＴ４はゲート電極がゲート線２に、ソース電極がソース線３に、ドレイン電極が画素電極５にそれぞれ接続されている。ゲート駆動回路６には複数のゲート線２が接続され、ソース駆動回路７には複数のソース線３が接続されている。そしてゲート駆動回路６からゲート線２にゲート信号が供給されると、そのゲート線２に接続するＴＦＴ４がオンになり、そのＴＦＴ４に接続した画素電極５にソース駆動回路７からのソース信号が供給される。このとき画素電極５と対向電極との間にソース信号に応じた電圧が印加され、その値に応じてその画素の液晶の配列状態を変化させている。こうして液晶の配列状態を制御することで各画素の透過率を制御し、液晶パネルの表示状態を変化させている。
【００１６】
８は制御回路であり、９は外部コントローラである。外部コントローラ９は制御回路８に映像信号と同期信号を出力し、制御回路８は信号処理した後でゲート駆動回路６にスキャン信号をソース駆動回路７に映像データ信号を供給している。ゲート駆動回路６ではスキャン信号に基づいて各ゲート線２にゲート信号を供給し、ソース駆動回路７では映像データ信号をソース信号にシリアル−パラレル変換して各ソース線３に供給している。
【００１７】
この液晶表示装置がＴＮ型の場合、画素電極５に電圧が印加されていないときは液晶パネルの液晶分子が９０°捩れたツイスト配列し、画素電極５に電圧を印加したときは液晶分子が垂直配列する。従って偏光板が直交ニコルのときは電圧無印加時に白表示、電圧印加時に黒表示のノーマリホワイトモードになり、偏光板が平行ニコルのときは電圧無印加時に黒表示、電圧印加時に白表示のノーマリブラックモードになる。ここで本発明の実施形態における表示の制御を、ノーマリホワイトモードとノーマリブラックモードのそれぞれについて説明する。
【００１８】
ノーマリホワイトのときに図２（ａ）に示す第１映像から第２映像を表示する場合を説明する。図３はこの走査時の動作を示す図である。本発明では第１映像を表示させる第１フレームと第２映像を表示させる第２フレームとの間に残像を減少させるための中間フレームを設けている。この中間フレームでは、次回の走査（第２フレーム）で輝度が下がる画素（白表示から黒表示になる画素）を黒表示にし、次回の走査（第２フレーム）で輝度が下がらない画素（白表示から白表示、黒表示から白表示、黒表示から黒表示になる画素）については前回の走査（第１フレーム）と同じソース信号を供給して画素の表示状態を維持している。図３では６行８列を一塊にした表示部が３列に並んでいるが、最左列が第１フレームを、中間列が中間フレームを、最右列が第２フレームを示している。また１表示部は模式的に画素が６行８列に並んでいるが、最上行を第１行、最下行を第６行、最左列を第１列、最右列を第８列とする。
【００１９】
まず第１フレームにおいて、第１行を走査するときに第４列の画素電極５にソース信号を供給して黒表示にする。この画素電極５に印加された電圧は次回の走査時まで保持され、そのまま黒表示を維持する。第１行を走査した後、第２行以降を順次走査して第１映像を表示させる。つまり第２行の走査時に第３列から第５列を、第３行の走査時に第２列から第６列を、第４行の走査時に第２列から第６列を、第５行の走査時に第３列から第５列を、第６行の走査時に第４列をそれぞれ黒表示にする。
【００２０】
次に中間フレームにおいて、第１フレームから第２フレームになるときに輝度が下がる画素、つまり白表示から黒表示になる画素、については走査時に輝度が十分に下がるソース信号を供給して黒表示し、それ以外の画素については走査時に第１フレーム時にその画素に供給されたソース信号と同じソース信号を供給し、第1フレーム時の表示状態を維持する。つまり第１行では第５列の画素のみが第1映像から第２映像になるときに白表示から黒表示に変化するため、中間フレームではこの第５列の画素を黒表示にする。従って第１行の走査時は第４列と第５列が黒表示になる。第２行以降も同様に動作し、第２行の走査時は第６列も黒表示にして第３列から第６列を、第３行の走査時は第７列も黒表示にして第２列から第７列を、第４行の走査時は第７列も黒表示にして第２列から第７列を、第５行の走査時は第６列も黒表示にして第３列から第６列を、第６行の走査時は第５列も黒表示にして第４列と第５列をそれぞれ黒表示にする。
【００２１】
その後、第２フレームにおいて再び第１行から走査を行い、第２映像を表示させる。つまり第１行の走査時は第５列を、第２行の走査時に第４列から第６列を、第３行の走査時に第３列から第７列を、第４行の走査時に第３列から第７列を、第５行の走査時に第４列から第６列を、第６行の走査時に第５列をそれぞれ黒表示にする。こうして第１映像から右へ１列分だけ移動した第２映像が表示される。
【００２２】
この実施形態では図５（ａ）に示すように１画素電極５に１つのＴＦＴ４を接続した構成であるため、従来の１フレームを１／６０ｓで走査するものと同等の時間で映像を変えていくためには、第１フレーム及び中間フレームを走査する時間がそれぞれ１／１２０ｓになり、走査速度が従来の２倍になる。また図３に示すように第1フレームの走査が完了してから中間フレームの走査を開始するため、各フレームの表示時間も１／１２０ｓになる。このとき画素電極５などは従来の構成を利用できるが、駆動回路の負荷が大きくなる。それに対して図５（ｂ）に示すように１画素電極５に２つのＴＦＴ４を接続し、この２つのＴＦＴ４にそれぞれ別々のゲート線２とソース線３を接続した構成にすると、表示部の２つの行を同時に走査できるため、走査速度を従来のものと同等にすることができ、駆動回路の負荷を軽減できる。例えば、第１フレーム及び中間フレームの走査にかかる時間をそれぞれ１／６０ｓに設定し、第１フレームの第４行の走査時に中間フレームの第１行の走査を開始する。このとき第１フレームの第６行の走査が完了したときは中間フレームの第３行目まで走査が完了しているため、第２フレームの第１行の走査が開始できる。このとき中間フレームの走査が完了する前に第２フレームの走査が始まるため、中間フレームの表示時間は１／１２０ｓになる。この実施形態では第２フレームの走査を開始するタイミングを変えることで中間フレームの状態を表示させる時間を自由に設定できるため、最も残像が少ない時間に設定することができる。一般に液晶の種類によってその応答速度が異なるため、中間フレームの表示時間としては液晶の応答速度よりも長い方がよい。また白表示から黒表示に変えたときの人間の目に残る白表示の印象は黒表示の時間を長くした方が弱くなるが、中間フレームの表示時間を長くすると中間フレーム時の映像の印象が強くなってしまうため、中間フレームの表示時間は残像が生じない範囲内であれば短時間の方がよい。
【００２３】
本発明では特に残像が生じやすい次走査時に輝度が低下する画素に対して中間フレームで予め黒表示にするため、第２フレームで第２映像を表示したときに白表示から黒表示に変わる画素における白表示の印象を弱くすることができ、残像の生じ難い動画を表示することができる。また、次走査時に輝度が低下しない画素に対しては中間フレームで前回の走査時と同様のソース信号を供給しているため、中間フレームで第１映像と第２映像に関係する映像を表示させることができ、従来のような次の映像の表示前にリセット期間を設け、そのリセット期間で全画素電極の電圧を除去して次の映像とは全く異なる表示を行うものと比較して、スムーズな動画の表示が可能になる。
【００２４】
次にノーマリブラックのときに図２（ｂ）に示す第１映像から第２映像を表示する場合を説明する。図４はこの走査時の動作を示す図であり、各表示部の構成などはノーマリホワイトと同じである。ノーマリブラックのときもノーマリホワイトと同様に、第1映像を表示させる第1フレームと第２映像を表示させる第２フレームの間に中間フレームを設定し、この中間フレームで次回の走査時（第２フレーム）に輝度が下がる画素（白表示から黒表示になる画素）を黒表示にし、次回の走査時（第２フレーム）に輝度が下がらない画素（白表示から白表示、黒表示から白表示、黒表示から黒表示になる画素）については前回の走査時（第１フレーム）と同じソース信号を供給して画素の表示状態を維持している。
【００２５】
第1フレームで第1映像を表示させる場合、第1行の走査時に第４列の画素を白表示させる。この画素の画素電極５の電圧は次回の走査時まで保持され、この画素は白表示を維持する。第１行の走査後は第２行から第６行まで順次走査し、第２行の走査時に第３列から第５列を、第３行の走査時に第２列から第６列を、第４行の走査時に第２列から第６列を、第５行の走査時に第３列から第５列を、第６行の走査時に第４列をそれぞれ白表示にする。
【００２６】
次に中間フレームにおいて、第１フレームから第２フレームになるときに輝度が下がる画素、つまり白表示から黒表示になる画素、については走査時に輝度が十分に下がるソース信号を供給して黒表示し、それ以外の画素については走査時に第１フレームのときと同じソース信号を供給する。そしてノーマリブラックの場合、第１行では第４列の画素が第1映像から第２映像になるときに白表示から黒表示に変化するため、中間フレームではこの第４列の画素を黒表示にする。第１映像から第２映像では第５列の画素が黒表示から白表示になるが、この画素は輝度が下がることにならないため、中間フレームでは第５列の画素は第１フレームと同様に黒表示を維持する。従って第１行の走査時は全ての画素が黒表示になる。第２行以降も同様に動作し、第２行の走査時は第３列を黒表示に変えて第３列から第６列を白表示に、第３行の走査時は第２列を黒表示に変えて第３列から第６列を白表示に、第４行の走査時は第２列を黒表示に変えて第３列から第６列を白表示に、第５行の走査時は第３列を黒表示に変えて第４列と第５列を白表示に、第６行の走査時は第４列を黒表示に変えて全列を黒表示にする。
【００２７】
その後、第２フレームにおいて再び第１行から走査を行い、第２映像を表示させる。このとき第１行の走査時は第５列を、第２行の走査時に第４列から第６列を、第３行の走査時に第３列から第７列を、第４行の走査時に第３列から第７列を、第５行の走査時に第４列から第６列を、第６行の走査時に第５列をそれぞれ白表示にする。
【００２８】
このようにノーマリブラックの場合も、残像の生じやすい白表示から黒表示に変化する画素を中間フレームで先に黒表示にするため、残像を低減させて高品位な動画を得ることができる。また、次回の走査時に輝度が減少しない画素については前回の走査時と同じ表示状態を維持するので、スムーズな動画の表示が行える。
【００２９】
本発明では第1フレームと第２フレームの間に中間フレームを設けているが、この中間フレーム時の映像データを制御回路８で作成している。外部コントローラ９から図２の第1映像を示す映像信号と同期信号が制御回路８に供給されると、制御回路８ではこの映像信号を基に第1映像の映像データ信号を作成してソース駆動回路７に供給し、また、スキャン信号を作成してゲート駆動回路６に供給する。ゲート駆動回路６にスキャン信号が入力されると、ゲート駆動回路６から各ゲート線２に順次ゲート信号が供給される。それと同時にソース駆動回路７では映像データ信号を各ソース線３に応じたソース信号に変換し、ゲート信号と同期して対応するソース線３に供給する。外部コントローラ９から第1映像に対応する映像信号が出力された後、次に第２映像に対応する映像信号が制御回路８に出力される。制御回路８では第1映像を示す映像信号と第２映像示す映像信号に基づいて中間フレームに対応する映像データ信号を作成し、ソース駆動回路７に供給する。ソース駆動回路７ではこの映像データ信号を各ソース線３に応じたソース信号に変換し、ゲート駆動回路６からのゲート信号と同期して対応するソース線３に供給する。その後、制御回路８では第２映像を示す映像信号から映像データ信号を作成してソース駆動回路７に供給し、ソース駆動回路７はこの映像データ信号をソース信号に変換して対応するソース信号に供給する。このように中間フレームに対応するデータを制御回路８で作成するようにすれば、外部コントローラ９などに大幅な変更を必要とせず、従来の構成を利用して本発明を実現できる。
【００３０】
以上の実施形態では１画素が白表示又は黒表示する場合を説明したが、本発明は１画素で多階調表示する場合も有効である。その場合、第１フレームと第２フレームのときの映像を比較して輝度が低下する画素については中間フレームの走査時に輝度レベルが十分低下するソース信号を供給し、輝度が低下しない画素については第１フレームのときの表示状態を維持する。輝度が低下する画素に対して中間フレーム時に供給するソース信号を第２フレーム時にその画素に供給するソース信号と同電位に設定した場合、中間フレームの階調が第２フレーム時の表示に順じたものになり、スムーズな動画が得られる。一方、輝度が低下する画素に対して中間フレーム時に供給するソース信号を第２フレーム時の階調よりも１又は２階調暗いときの値に設定した場合、中間フレームで第２フレームよりも暗い階調を表示することになるため残像をかなり低減させることができ、糸引き現象のない輪郭のはっきりした動画を得ることができる。
【００３１】
なお、本発明はフレーム毎にソース信号の極性を反転させるものにも有効である。中間フレームでは、輝度が低下しない画素に対して第１フレーム時にその画素に供給されるソース信号と同等のソース信号を供給しているが、これは第１フレーム時の画素電極と対向電極の電位差と中間フレーム時の画素電極と対向電極の電位差を同じにすることを意味している。従って、第１フレームと中間フレームでは同極性のソース信号を供給し、第２フレームでは逆極性のソース信号を供給する場合であれば、中間フレームと第１フレームで供給されるソース信号の値は同じになるが、中間フレームで第１フレームと逆極性のソース信号が供給される場合、中間フレームと第１フレームで供給されるソース信号の値は異なるが、画素に印加される電圧（画素電極と対向電極の間の電位差）は同じ値になる。
【００３２】
また、実施形態では画素が白表示と黒表示に変化する場合を説明したが、これは白黒表示の液晶表示装置に限定するものではなく、カラー表示の液晶表示装置にも有効である。この場合、ＴＦＴ４などを形成したＴＦＴアレイ基板に対応して、対向電極やカラーフィルタを形成したカラーフィルタ基板を配置し、両基板間に液晶を封入して液晶パネルを構成する。
【００３３】
本発明は上記の実施形態に限定されるものではなく、本発明の趣旨を逸脱しない範囲において種々の変更を加えることが可能である。例えば、この実施形態ではＴＮ型液晶表示装置について説明したが、ホールド型の液晶表示装置であればＶＡモードやＩＰＳモードにも有効である。また液晶表示装置は透過型でも反射型でもよい。
【００３４】
【発明の効果】
本発明によれば、第１映像から第２映像に表示を変える際に、第１映像と第２映像に基づいた中間段階の映像を第２映像より先に表示する構成であり、この中間段階の映像では、第１映像から第２映像にかけて輝度が低下する画素に対して第１映像よりも低い輝度の表示を行う。従って残像が生じやすい次映像で輝度が低下する画素について次映像を表示する前に積極的に輝度を下げることができ、残像を低減することができる。さらに第１映像から第２映像にかけて輝度が低下しない画素に対しては中間段階の映像でも第１映像の表示と同等の輝度の表示を維持するため、第１映像から第２映像に変化する際にこれらの映像に類似した映像が表示されることになり、スムーズで高品位な動画を得ることができる。
【図面の簡単な説明】
【図１】本発明の実施形態である液晶表示装置の構成を示す概略図である。
【図２】表示動作を説明する際に用いる第１映像及び第２映像を示すサンプル図である。
【図３】本発明の実施形態のノーマリホワイトモードにおける表示動作を説明する図である。
【図４】本発明の実施形態のノーマリブラックモードにおける表示動作を説明する図である。
【図５】本発明の実施形態である画素電極などを示す模式図である。
【図６】従来の液晶表示装置のノーマリホワイトモードにおける表示動作を説明する図である。
【符号の説明】
２  ゲート線
３  ソース線
４  薄膜トランジスタ
５  画素電極
６  ゲート駆動回路
７  ソース駆動回路
８  制御回路
【図１】
0003643770.tif 000002
【図２】
0003643770.tif 000003
【図３】
0003643770.tif 000004
【図４】
0003643770.tif 000005
【図５】
0003643770.tif 000006
【図６】
0003643770.tif 000007